(57)【要約】【課題】飾り紐に設けられた飾り房などの装飾体のデザインの自由度を高めることが可能な飾り紐を提供すること。【解決手段】飾り紐１０は、組紐１５とタッセル１６とを備える。組紐１５の両端にタッセル１６が取り付けられている。タッセル１６は、組紐１５と一体に構成されているのではなく、組紐１５とは独立して別個に作り上げられたものである。タッセル１６は、巻き玉１７と飾り房１９とが連結して一体化したものである。タッセル１６は接着剤や縫い付け、留めピンなどによって組紐１５の端部に固定されている。【選択図】図１
0003162692.tif 000002
【実用新案登録請求の範囲】
【請求項１】
組紐の少なくとも一方の端部に上記組紐とは別個に作られた装飾体が取り付けられてなる飾り紐。
【請求項２】
上記装飾体は、飾り房、巻き玉、又は、飾り房と巻き玉とが連結された連結体のいずれかである請求項１に記載の飾り紐。
【考案の詳細な説明】
【技術分野】
【０００１】
本考案は、少なくとも３本以上の糸又は糸束で組み上げられた組紐が使用された飾り紐に関する。
【背景技術】
【０００２】
従来より、和服の帯締めやさげ袋の紐、お茶道具を包む仕覆の締め緒などに組紐が使用されている。また、巻物や箱類、楽器、調度などに用いられる各種の紐にも組紐が使用されており、かつては、平緒や袖括の緒、冠の緒などにも組紐が使用されていた。また、近年では、組紐の豊富なデザインが評価されて、携帯ストラップやキーホルダー、根付け、ウォレットケーブル、ループタイなど様々な商品に組紐が飾り紐として使用されている。このような組紐が使用された飾り紐の一例として、特許文献１には、組紐の端部にほうき状の飾り房（タッセルとも呼ばれている。）が形成された装飾用紐が開示されている。
【先行技術文献】
【特許文献】
【０００３】
【特許文献１】特開平１１−２５６４５９号公報
【考案の概要】
【考案が解決しようとする課題】
【０００４】
しかしながら、特許文献１の装飾用紐に形成された飾り房は、組紐の端部をほぐして形成されたものである。このため、装飾用紐の本体である組紐と飾り房とは一体となっている。このことは、特許文献１の装飾用紐に限られず、組紐が使用された従来の飾り紐も同様の構成となっている。そもそも、「房」とは、装飾用に束ねられた糸束の端部をほどき散らしたものであるため、組紐の端部に飾り房を設ける場合は、組紐の端部をほぐして飾り房を形成するのが一般的である。このように飾り房が形成されているため、従来の飾り紐では、飾り房のデザイン（模様や柄など）は組紐のデザインに委ねられ、飾り房のサイズ（大きさ）は組紐に使用される糸の本数に委ねられている。そのため、従来の飾り紐では、その飾り房のデザインやサイズの選択の幅が狭くならざるを得ず、飾り房のデザインの自由度が極めて低いという問題がある。
【０００５】
そこで、本考案は、上記事情に鑑みてなされたものであり、その目的は、飾り紐に設けられた飾り房などの装飾体のデザインの自由度を高めることが可能な飾り紐を提供することにある。
【課題を解決するための手段】
【０００６】
(1)  本考案は、組紐の少なくとも一方の端部に上記組紐とは別個に作られた装飾体が取り付けられてなる飾り紐である。組紐に対する飾り房の取付方法としては、例えば、接着剤による接着、糸による縫い付け、あるいはピンなどの留め具による固着などの方法によって組紐の端部に固定する方法が考えられる。
【０００７】
(2)  上記装飾体としては、例えば、飾り房、巻き玉、又は、飾り房と巻き玉とが連結された連結体のいずれかが該当する。
【考案の効果】
【０００８】
このように本考案が構成されているため、飾り房などの装飾体のデザインが組紐のデザインによる制限を受けなくなるため、飾り房のデザインの自由度が向上する。これにより、ユーザは、飾り紐の本体である組紐のデザインとは関係なく、その端部に取り付けられる装飾体の模様や柄、大きさなどのデザインを自由に創作することが可能となる。その結果、飾り紐のデザインバリエーションが豊富になる。
【図面の簡単な説明】
【０００９】
【図１】図１は、本考案の実施例１の飾り紐１０の概略構成を示す模式図である。
【図２】図２は、本考案の実施例２の飾り紐１１の概略構成を示す模式図である。
【考案を実施するための形態】
【００１０】
［実施例１］
以下、図１を参照して本考案の実施例１の飾り紐１０について説明する。図１に示されるように、本考案の飾り紐１０は、組紐１５とタッセル１６とを備える。組紐１５は、少なくとも３本以上の糸又は糸束で組み上げられたものである。組紐１５の組み上げ方は特に限定されることはなく、丸組、平組、角組いずれの方法で組み上げられたものであってもよい。また、組紐１５の素材は、一般に多用されている絹や木綿、麻などの他、化学繊維などを用いることができ、素材の材質は特に限定されない。なお、組紐１５の長さや外径は飾り紐１０の用途に応じて適宜のサイズにすればよい。
【００１１】
タッセル１６は、組紐１５と一体に構成されているのではなく、組紐１５とは独立して別個に作り上げられたものである。つまり、タッセル１６と組紐１５とは別々の工程で作られたものである。この実施例１では、組紐１５の両端それぞれにタッセル１６が取り付けられている。図１に示されるように、タッセル１６は、貫通孔が形成された球形の木玉（ウッドビーズ）の外面に糸が巻き付けられた巻き玉１７と、巻き玉１７の貫通孔の一方の開口２０に接着などによって取り付けられたビーズ１８付きの飾り房１９と、を備えている。言い換えると、タッセル１６は、巻き玉１７と飾り房１９とを連結した連結体であり、本考案の装飾体の一例である。巻き玉１７の外径は、組紐１５の外径よりも概ね２倍から３倍である。巻き玉１７の貫通孔の他方の開口２０に組紐１５の端部が挿入されて固定されている。この実施例１では、タッセル１６は接着剤によって組紐１５の端部に固定されている。もちろん、接着剤によらず、例えば、タッセル１６を組紐１５の端部に糸で縫い付けることによって取り付けてもよく、また、ピンなどの留め具を用いてタッセル１６を組紐１５の端部に固定してもよい。もちろん、これら以外の様々な取付方法が採用可能である。
【００１２】
このように飾り紐１０が構成されているため、タッセル１６のデザインが組紐１５のデザインによる制限を受けなくなる。そのため、タッセル１６のデザインの自由度が向上する。これにより、ユーザは、組紐１５のデザインとは関係なく、その端部に取り付けられるタッセル１６の模様や柄、大きさなどのデザインを自由に創作することが可能となる。その結果、飾り紐１０のデザインバリエーションが豊富になる。飾り紐１０のデザイン性が高くなると、飾り紐１０の用途が更に拡がり、例えば、リボンに代えて花束や贈り物の包装などに使用される装飾用として飾り紐１０が使用されたり、洋服や帽子などを飾るコサージュや靴を飾るシューズアクセサリーに代えて飾り紐１０が使用されることが期待できる。
【００１３】
［実施例２］
なお、本考案は、図２に示される実施例２の飾り紐１１のように、ヘッド２７にボリュームのあるスカート部２８が設けられたタッセル２６と、このタッセル２６が両端部に取り付けられた組紐１５とを有するものであってもよい。もちろん、この実施例２においても、タッセル２６は、組紐１５とは独立して別個に作り上げられたものである。この実施例２のタッセル２６は、所謂飾り房のみで構成されたものである。なお、タッセル２６のスカート部２８の素材は糸に限られず、例えばオーガンジーやリボン、レースなどの薄地の生地や、毛糸等を用いてもかまわない。
【００１４】
上述した各実施例は本考案が具体化された単なる一例であり、本考案はその要旨を越えない範囲で適宜変更することにより、その他の形態でも実施可能である。
【符号の説明】
【００１５】
１０・・・飾り紐
１１・・・飾り紐
１５・・・組紐
１６・・・タッセル（飾り房）
１７・・・巻き玉
１８・・・ビーズ
１９・・・飾り房
２０，２１・・・開口
２６・・・タッセル
２７・・・ヘッド
２８・・・スカート部
【図１】
0003162692.tif 000003
【図２】
0003162692.tif 000004